(57)【要約】【課題】両手でも処置具の操作が行い易いようにし、所望の大きな力や持続力を与えた安定した操作が行えるようにする。【解決手段】例えば右手の親指を掛ける第１指掛かり部１６が設けられた支持本体１３と、リング内に右手の親指以外の指を掛けるリング状の第２指掛かり部１７Ａ，１７Ｂが設けられたスライダ１４とを有する処置具において、上記スライダ１４のリング状第２指掛かり部１７Ａ，１７Ｂの先端部に、左手の指を掛けるための凹部の第３指掛かり部２０Ａ，２０Ｂを設ける。この第３指掛かり部２０Ａ，２０Ｂは、直線状面に突起Ｋを設けた凹部でもよいし、円弧状の凹部でもよい。【選択図】図１
2007202773.tif 000002
【特許請求の範囲】
【請求項１】
親指を掛ける第１指掛かり部が設けられた第１部材と、リング内に親指以外の指を掛けるリング状の第２指掛かり部が設けられた第２部材とを有し、この第１部材及び第２部材の一方が支持本体、他方がスライダとして構成される内視鏡用処置具において、
上記第２部材のリング状の第２指掛かり部の先端部に、指を掛けるための凹部を有する第３指掛かり部を設けたことを特徴とする内視鏡用処置具。
【請求項２】
上記第３指掛かり部は、上記第２指掛かり部の直線状の先端面に突起を設けることにより凹部が形成されるようにしたことを特徴とする請求項１記載の内視鏡用処置具。
【請求項３】
上記第１指掛かり部をリング状に形成し、このリング状第１指掛かり部の後端部に、指を掛けるための凹部を有する第４指掛かり部を設けたことを特徴とする請求項１又は２記載の内視鏡用処置具。
【発明の詳細な説明】
【技術分野】
【０００１】
本発明は内視鏡用処置具、特に内視鏡装置の処置具挿通チャンネルを通して用いられる鉗子、高周波スネア等の処置具の指掛かり部の構成に関する。
【背景技術】
【０００２】
内視鏡装置は、例えばスコープの挿入部先端に配置したＣＣＤ（Charge Coupled Device）等によって被観察体内を撮像することにより、被観察体内の映像をモニタ画面上で観察することができ、このような内視鏡装置を用いた検査、処置、手術では、鉗子、高周波スネア等の各種の処置具が用いられる。即ち、スコープには処置具挿通チャンネルが設けられており、この処置具挿通チャンネルに処置具を通し、この処置具の先端をスコープ先端部から被観察体内へ導入することにより、例えば鉗子では、誤飲した異物、生検のための組織等を掴んで取り出したり、高周波スネアでは、ポリープ等の切り取る部分を掴んだりすることが行われる。
【０００３】
図６には、この種の処置具である鉗子の構成が示されており、この鉗子は、例えば掴み部材１を先端に有する線状部材２が支持本体３の中空管部まで配置され、この支持本体３の外周に、スライダ部４が摺動自在に取り付けられる構成となる。そして、上記支持本体３の後端側に、親指を掛けるリング（輪）状の第１指掛かり部５が設けられ、他方のスライダ部４の左右両側に、人差し指と中指を掛けるリング状の第２指掛かり部６Ａ，６Ｂが設けられている。
【０００４】
このような構成の鉗子（処置具）によれば、第１指掛かり部５に掛けた親指で支持本体３を固定しながら、第２指掛かり部６Ａ，６Ｂに掛けた人差し指と中指でスライダ４を支持本体３の前後方向にスライドさせ、スライダ４を後端側へ移動させると掴み部材１が閉じ、スライダ４を先端側へ移動させると掴み部材１が開くことになる。従って、この掴み部材１にて、誤飲した異物や生検のための組織を掴み、被観察体から取り出すことができる。
【特許文献１】特許第３４４１６４０号公報
【特許文献２】特開２００５‐２０４９９８号公報
【発明の開示】
【発明が解決しようとする課題】
【０００５】
ところで、従来の処置具は、上述のように親指、人差し指及び中指を掛ける指掛かり部５，６Ａ，６Ｂを用い、片手で操作することを前提として構成されているが、処置具を使用した処置、手術等では、上記スライダ４を操作するために、比較的大きな力を要する場合、或いは長い時間同じ力を継続させることが必要となる場合がある。例えば、鉗子にて子供等が飲み込んだ乾電池等の異物を掴んで取り出すとき、大きな力を加えかつその力を所定時間維持しなければならず、また高周波スネアにてポリープ切除を行うときには、その基部を取り囲んで掴む際に大きな力が必要になり、このような場合には、片手ではなく両手を用いて処置具を操作することが行われる。
【０００６】
しかしながら、従来の処置具では、片手の指掛かり部しかないため、例えば上記第２指掛かり部６Ａ，６Ｂの先端部にもう一方の手の指を掛けて処置具の操作が行われているが、この場合には、第２指掛かり部６Ａ，６Ｂの先端部に掛けた指が滑ったりするので、大きな力や持続力を処置具に安定して与えることができないという問題があった。
【０００７】
本発明は上記問題点に鑑みてなされたものであり、その目的は、両手でも処置具の操作が行い易いようにし、所望の大きな力や持続力を与えた安定した操作を行うことができる内視鏡用処置具を提供することにある。
【課題を解決するための手段】
【０００８】
上記目的を達成するために、請求項１の発明は、親指を掛ける第１指掛かり部が設けられた第１部材と、リング内に親指以外の指を掛けるリング状の第２指掛かり部が設けられた第２部材とを有し、この第１部材及び第２部材の一方が支持本体、他方がスライダとして構成される内視鏡用処置具において、上記第２部材のリング状の第２指掛かり部の先端部に、指を掛けるための凹部を有する第３指掛かり部を設けたことを特徴とする。なお、上記第１指掛かり部はリング状としてもよいし、円弧状、棒状のものでもよい。
請求項２の発明は、上記第３指掛かり部は、上記第２指掛かり部の直線状の先端面に突起を設けることにより凹部（凹面）が形成されるようにしたことを特徴とする。
請求項３の発明は、上記第１指掛かり部をリング状に形成し、このリング状第１指掛かり部の後端部に、指を掛けるための凹部を有する第４指掛かり部を設けたことを特徴とする。
【０００９】
上記の構成によれば、例えば右手の親指を第１指掛かり部に掛けると共にその人差し指と中指をリング状第２指掛かり部内に掛け、左手の親指を第１指掛かり部（又は第４指掛かり部）に掛けると共にその人差し指と中指を第２指掛かり部の先端部の第３指掛かり部に掛けることにより、処置具の支持本体に対するスライダの移動を両手で操作することができる。
【発明の効果】
【００１０】
本発明の内視鏡用処置具によれば、片手だけでなく、両手でも処置具の操作が行い易くなり、所望の大きな力や持続力を与えた安定した操作を行うことができ、例えば鉗子による異物、組織の取り出し、高周波スネアによるポリープの切除の処置、手術等を良好に行うことが可能になるという効果がある。
【発明を実施するための最良の形態】
【００１１】
図１及び図２には、第１実施例に係る内視鏡用処置具（操作部）の構成が示され、図３及び図４には、実施例の処置具の操作状態が示されており、この処置具としては、生検鉗子、回収鉗子、高周波スネア、高周波止血具、高周波メス等があるが、実施例では高周波を用いる処置具を示している。
【００１２】
図１に示されるように、処置具は、掴み部材等の処置部材を先端に備えた線状部材１２が第１部材としての支持本体（支持固定部）１３（中空管部）内に配置され、この支持本体１３には、ガイド孔１３ａを介して第２部材としてのスライダ１４が摺動自在に取り付けられる。実施例では、このスライダ１４の先端側に、高周波コネクタ１５が配置される。そして、上記支持本体１３の後端側に、一方の手である右手（又は左手）の親指を掛けるリング状（輪状、円状、楕円状）の第１指掛かり部１６が設けられる。この第１指掛かり部１６は、リング状ではなく、図２に示されるように、リング状第１指掛かり部１６の後端側半分を切断線Ｃ１でカットした半円状の指掛かり部、或いはこの半円状を直線状に展開した（２点鎖線で示すＴ字状の）指掛かり部としてもよい。
【００１３】
一方、スライダ１４には、その左右両側に右手の人差し指と中指を掛けるリング状の第２指掛かり部１７Ａ，１７Ｂが設けられる。そして、この第２指掛かり部１７Ａ，１７Ｂの先端部（側）に、他方の手である左手（第２指掛かり部１７Ａ，１７Ｂに左手を掛ける場合は右手）の人差し指と中指を掛ける第３指掛かり部２０Ａ，２０Ｂが設けられる。即ち、図２に示されるように、第２指掛かり部１７Ａのリング先端部の正面から見て直線状（又は平面状）の先端面の外側に突起Ｋを設けることにより、凹部（凹面）を有する第３指掛かり部２０Ａを形成し、第２指掛かり部１７Ｂのリング先端部（高周波コネクタ１５の前側）の直線状先端面の外側に突起Ｋを設けることにより、凹部となる第３指掛かり部２０Ｂを形成する。
【００１４】
このような第１実施例の処置具によれば、片手だけで操作する場合は、図３に示されるように、例えば右手の親指を第１指掛かり部１６に挿入配置すると共に、人差し指を第２指掛かり部１７Ｂ、中指を第２指掛かり部１７Ａに配置する。そして、親指と人差し指及び中指を操作し、スライダ１４を支持本体１３の長手方向に沿って後端側（後側）へ移動させることにより、高周波スネアであれば、輪状処置部材の輪を閉じることができ、鉗子であれば、掴み部材を閉じることができる。
【００１５】
一方、両手で操作する場合は、図４に示されるように、上記右手の各指の配置に加え、左手の親指を第１指掛かり部１６の後端部（外側）に配置し、人差し指を第３指掛かり部２０Ｂ、中指を第３指掛かり部２０Ａに配置し、両手によって、スライダ１４を支持本体１３の長手方向の前後に動かす操作を行うことができる。この両手の操作によれば、片手の場合に比べて大きな力を処置具に与えることができると共に、その力を長時間持続させることが可能になる。
【００１６】
図５には、第２実施例の構成が示されており、この第２実施例では、図示されるように、第３指掛かり部２２Ａ，２２Ｂを円弧状凹部としている。即ち、第２指掛かり部１７Ａ，１７Ｂの先端面を正面から見て円弧状に成形し、その結果として、外側に突起Ｋが設けられる凹部を形成するようにしたものである。また、第１指掛かり部１６の後端面には、例えば左手の親指を掛けるために、左右両端に突起Ｋを有する第４指掛かり部２４が設けられる。
【００１７】
この第２実施例によっても、例えば左手の人差し指と中指を第３指掛かり部２２Ａ，２２Ｂに掛けた両手による処置具の操作が容易となり、また左手の親指を第４指掛かり部２４に掛けることにより、大きな力或いは所定時間の持続力を処置具に与えた安定した操作を実現することができる。
【００１８】
上記実施例では、第１指掛かり部が設けられた第１部材を支持本体１３、第２指掛かり部が設けられた第２部材をスライダ１４として説明したが、この第２部材を支持本体、第１部材をスライダとして構成してもよい。また、第３指掛かり部（２０Ａ，２０Ｂ，２２Ａ，２２Ｂ）は、第２指掛かり部１７Ａ，１７Ｂの何れか一方のみの配置としてもよい。
【図面の簡単な説明】
【００１９】
【図１】本発明の第１実施例に係る内視鏡用処置具（操作部）の構成を示す斜視図である。
【図２】第１実施例の処置具の構成を示す正面図である。
【図３】第１実施例の処置具を片手で操作する状態を示す斜視図である。
【図４】第１実施例の処置具を両手で操作する状態を示す斜視図である。
【図５】第２実施例の処置具の構成を示す正面図である。
【図６】従来の処置具（鉗子）の構成を示す正面図である。
【符号の説明】
【００２０】
２，１２…線状部材、          ３，１３…支持本体、
４，１４…スライダ、          ５，１６…第１指掛かり部、
６Ａ，６Ｂ，１７Ａ，１７Ｂ…第２指掛かり部、
２０Ａ，２０Ｂ，２２Ａ，２２Ｂ…第３指掛かり部、
２４…第４指掛かり部、        Ｋ…突起。
【図１】
2007202773.tif 000003
【図２】
2007202773.tif 000004
【図３】
2007202773.tif 000005
【図４】
2007202773.tif 000006
【図５】
2007202773.tif 000007
【図６】
2007202773.tif 000008